(57)【要約】【課題】手腕に障害がある人でも、容易に開閉できる財布を提供する。【解決手段】貨幣を収容し、貨幣を取り出し可能な開口部を有する貨幣収容部と、基端が貨幣収容部の一端側に連なり、開口部側に折られることで、開口部を覆う蓋部と、を備え、蓋部には、その先端側に紐状部材の端部が取り付けられており、貨幣収容部には、その他端側に、紐状部材が挿通する挿通部が設けられている財布。【選択図】図１
2018075162.tif 000002
【特許請求の範囲】
【請求項１】
貨幣を収容し、貨幣を取り出し可能な開口部を有する貨幣収容部と、基端が貨幣収容部の一端側に連なり、開口部側に折られることで、開口部を覆う蓋部と、を備え、蓋部には、その先端側に紐状部材の端部が取り付けられており、貨幣収容部には、その他端側に、紐状部材が挿通する挿通部が設けられている財布。
【発明の詳細な説明】
【技術分野】
【０００１】
本発明は、手腕に障害がある人でも、容易に開閉できる財布に関する。
【背景技術】
【０００２】
財布の形状は、長財布や２つ折り、３つ折りの財布があり、それぞれ紙幣収容部と貨幣収容部とのいずれか、あるいは双方の組み合わせにより構成されている。財布の貨幣を収容する部分は、一対のファスナやボタン形状のホック等を互いに係合させたり、外したりすることで、開閉可能となっている。
【０００３】
例えば、特許文献１には、背面部から延設した折り返しとなる蓋部の裏面適所と、これに対応する底面部表面側とに設けられ、閉蓋時には相互に合わせて固定する該係着部材を備える財布が提案されている。
【先行技術文献】
【特許文献】
【０００４】
【特許文献１】特許５１７２４３３号公報
【発明の概要】
【発明が解決しようとする課題】
【０００５】
しかしながら、病気や怪我等による手腕の障害がある場合、繊細な動作が難しかったり、把持力が極めて弱い場合がある。このような手腕に障害がある人は、特許文献１の財布のように、互いに対応する位置に配置されている一対の係着部材（ホック）の位置を合わせ、押し込んだり、引いたりして、一対の係着部材を係着させたり外したりするのが困難である。このため、店頭などにおいてスムーズに財布の開閉ができず、支払いに時間がかかるためにストレスを抱えてしまったり、財布をもつこと自体を断念してしまう場合がある。
【０００６】
本発明は、手腕に障害がある人でも、容易に開閉できる財布を提供することを目的とする。
【課題を解決するための手段】
【０００７】
貨幣を収容し、貨幣を取り出し可能な開口部を有する貨幣収容部と、基端が貨幣収容部の一端側に連なり、開口部側に折られることで、開口部を覆う蓋部と、を備え、蓋部には、その先端側に紐状部材の端部が取り付けられており、貨幣収容部には、その他端側に、紐状部材が挿通する挿通部が設けられている財布を提供する。
【発明の効果】
【０００８】
本発明によれば、上述のような課題を解決するため、手腕に障害がある人でも、容易に開閉できる財布を提供可能となる。
【図面の簡単な説明】
【０００９】
【図１】本発明の一実施形態である財布を説明するための正面図と右側面図である。
【図２】本発明の実施形態による財布を閉じ吊り下げた状態の正面図と左側面図である。
【図３】本発明の実施形態による財布の実用例である。
【図４】本発明の実施形態による財布を閉じ紐状部材を固定した状態を示す正面図と裏面図である。
【発明を実施するための形態】
【００１０】
以下、本発明の一実施形態について、図１乃至図４を参照しながら詳細に説明する。
【００１１】
本発明の実施例における財布１は、図１の正面図及び右側面図に示すように貨幣を収容し、貨幣を取り出し可能な開口部１１を有する貨幣収容部１０と、基端が貨幣収容部１０の一端側に連なり、開口部１１側に折られることで、開口部１１を覆う蓋部２０と、を備え、蓋部２０には、その先端側に紐状部材３０の端部が取り付けられており、貨幣収容部１０には、その他端側に、紐状部材３０が挿通する挿通部１２が設けられている。そこで、次に具体的な構造についての説明をする。
【００１２】
貨幣収容部１０は、貨幣を収容する役割を担っている。貨幣収容部１０の上面は開口部１１となっており、上方からみると収納した貨幣が判然とし、かつ取出時に指が容易に届くため、繊細な動作が難しい場合であっても貨幣を取り出しやすいよう広く開放されている。貨幣収容部１０の前面の形状は、開口部１１の反対側の面に接する辺と比較し、開口部１１側にあたる辺の幅が適度に狭い等脚台形となっている。貨幣収容部１０の左右側面は、それらが接する前面の台形の斜辺の角度に合わせて開口部１１側に倒れている。このため、開口部１１の大きさは、開口部１１の反対側の面の面積に比べ若干小さくなっている。また、貨幣収容部１０の左右側面は、開口部１１側に折られるよう貨幣収容部１０の内側に向かって逆Ｖ字状の折り目がつけられている。以上により、貨幣収容部１０は、貨幣が飛び出しにくい構造となっている。
【００１３】
挿通部１２は、貨幣収容部１０の前面及び各左右側面との間にある各角に、貨幣収容部１０の外縁より部分的に突出した状態で設置されている。これにより、紐状部材３０がスムーズに挿通可能となる。貨幣収容部１０に対して外に突出し挿通部が見通せるよう設置されている。本実施形態においては、左の挿通部１２を挿通部１２ａ、右の挿通部１２を挿通部１２ｂとしている。
【００１４】
帯状体１３は、財布を安定して保持できるようにするための部材であり、その一端を貨幣収容部１０の左側面と貨幣収容部１０の本体の底面、つまり開口部１１の反対側の面との間を起点とし、開口部１１の反対側の面を通って、貨幣収容部１０の右側面と開口部１１の反対側の面との間が終点となるよう設置されている。帯状体１３の長さは、開口部１１の反対側の面と帯状体１３との間に使用者が手を入れられる程度の長さとなっている。
【００１５】
蓋部２０は、貨幣収容部１０の挿通部１２が設置されている端の反対側の端を基端として連なり、開口部１１側を折られることにより開口部１１を覆う役割を担っている。蓋部２０により貨幣収容部１０の開口部１１を覆った際には、貨幣収容部１０の左右側面はその構造により必然的に開口部１１側に折れる仕組みとなっている。
【００１６】
紐状部材３０は、その一端が蓋の左辺と結合し、左の挿通部１２ａ、右の挿通部１２bを通り、紐状部材３０の他端は蓋の右辺に結合している。紐状部材３０が滑らかに挿通するために、挿通部１２の内径は紐状部材３０に対して十分な内径を有している。
【００１７】
環状部材４０は、蓋部２０が貨幣収容部１０の開口部１１を覆う状態を維持するための部材の１つであり、紐状部材３０の中央に取り付けられる。本実施の形態においては、紐状部材３０を環状部材４０に結びつけることで固定している。
【００１８】
円盤部材５０は、蓋部２０が貨幣収容部１０の開口部１１を覆う状態を維持するための部材の１つであり、環状部材４０を円盤部材５０に掛けることにより、財布１が開放しないようにする役割を果たしている。円盤部材５０は、蓋部２０の開口部１１を覆う面の裏面の、蓋部２０の左右端部からの距離が一致し、かつ貨幣収容部１０に接する端と相対する端との間の任意の位置に設置されている。円盤部材５０の外径は、環状部材４０の内径より十分に小さいものを使用する。また、蓋部２０との間には環状部材４０の厚みと同等以上の隙間を設けている。
【００１９】
なお、紐状部材３０の長さは、蓋部２０が存分に持ち上げることで貨幣収容部１０の開口部を開放でき、更に図４の状態において円盤部材５０と環状部材４０の着脱が可能な分だけのゆとりを持つようあらかじめ調整されるものとする。
【００２０】
財布１を持ち歩く場合には、一般的に鞄やポケットにしまっておくことが考えられるが、手に障害がある等さまざまな条件により鞄やポケットからの取り出しが困難である場合も想定される。本実施形態においては、１つの財布でありながら、（１）環状部材４０を吊り下げる形態、（２）環状部材４０と円盤部材５０とにより紐状部材３０を固定する形態、からなる２種類の財布の保管形態の選択肢を提供することにより、さまざまな携行方法に対して柔軟に対応可能となっている。以下にその形態を説明する。
【００２１】
（１）環状部材４０を吊り下げる形態
１つ目の形態は、図２に示すように紐状部材３０に取り付けた環状部材４０を上から吊り下げる形態である。環状部材４０を持ち吊り下げると、貨幣収容部１０の開口部１１を蓋部２０が覆うことにより、財布１を閉じた状態にすることが可能である。これは財布１の重力により蓋部２０の左右辺を起点とする紐状部材３０が上方に引かれ、また紐状部材３０は貨幣収容部１０に設置された挿通部１２を経由していることにより、蓋部２０は貨幣収容部１０と接するためである。
【００２２】
首から下げたストラップと財布１の環状部材４０とを連結すれば、財布１を首から下げた状態での使用が可能となる。首から下げている間は、常に蓋部２０が貨幣収容部１０と接している状態を維持できるため、財布１に収容した貨幣の脱落は発生しない。
【００２３】
図３は、手のひらの上で保持している財布１の環状部材４０が、首から下げたストラップと連結され、開口部１１が開放されている状態を表す例である。環状部材４０にストラップを連結した状態で首から下げた財布１から貨幣を出す場合には、まず、手のひらで開口部１１の反対の面を持ち保持する。安定した状態で財布１を保持する必要がある場合には、開口部１１の反対の面と帯状体１３との間に手のひらを通してもよい。次に蓋部２０をもう一方の手で持ちあげることにより、開口部１１が開放される。開口部１１より貨幣の出し入れを行った後、蓋部２０で開口部１１を覆うには、財布１を保持している手を帯状体１３から解放し徐に手を下げることで足りる。これは再び環状部材４０が上から吊り下げた状態に戻るためである。
【００２４】
（２）環状部材４０と円盤部材５０とにより紐状部材３０を固定する形態
２つ目の形態は、図４に示すように環状部材４０を蓋部２０に設置されている円盤部材５０に掛ける形態である。環状部材４０を、貨幣収容部１０の開口部１１と反対側の面を通って蓋部２０の開口部１１を覆う面の裏面にある円盤部材５０に向かって紐状部材３０を誘導したのち、環状部材４０を円盤部材５０に掛ける形で接合する。これにより、環状部材４０を持ち吊り下げた場合と同様に、蓋部２０が貨幣収容部１０と接している状態の維持が可能である。
【００２５】
環状部材４０の円盤部材５０に掛ける形での接合を行うには、円盤部材５０の上に軽く乗せ、環状部材４０を手で押圧するだけで足りる。この際、環状部材４０の内径は、円盤部材５０の外径と比較して十分に大きいため、繊細な動作による位置合わせは不要である。
【００２６】
開口部１１を開放するために円盤部材５０から環状部材４０を外すには、円盤部材５０を手で押圧するだけで足りる。蓋部２０と円盤部材５０に挟まれていた環状部材４０が押し出され、円盤部材５０から環状部材４０が外れる仕組みとなっている。環状部材４０、円盤部材５０のいずれも把持する必要はない。
【００２７】
この仕組みを採用することにより、鞄やポケットにしまったままであっても開口部１１が開放されることなく貨幣を保持することが可能である。
【００２８】
以上より、本発明による財布１は、紐状部材３０および挿通部１２を備えているため、一般的な財布に備わっている係着部材を使用した場合に必要となる、係着させたり外したりするための力や繊細な指の動きを必要せずに財布の開閉が可能であり、鞄やポケットにしまっておく場合の他、必要に応じて器具を装着することにより、首からストラップで下げる場合やキーチェーン等で鞄やベルト等とつなげる場合等さまざまな状況に応じた柔軟な使用方法を想定した構造となっている。
【００２９】
首から下げて携行する場合の他、適度な長さを有するストラップを用いて鞄様に肩に掛けて利用することも可能である。また、手提げとして利用する場合には、ストラップを用いず、環状部材４０や紐状部材３０を直接手に持って携行することも可能である。
【００３０】
一方で、障害等により片手での財布の操作を余儀なくされる場合には、ストラップ等を結合して吊り下げて使用すれば、片手で開口部１１を開放することも可能であるため、財布本体を持たずして片手での貨幣の取り出しも可能である。
【００３１】
鞄やベルトとつなげる場合には、（２）環状部材４０と円盤部材５０とにより紐状部材３０を固定する形態にした上で、挿通部１２の一方、あるいは両方にキーチェーンを接続すればよい。
【００３２】
なお、本発明は、上記の実施の形態における財布１の各構成要素の細部構成や機能に関しては、本発明の趣旨を逸脱しない範囲で適宜種々の修正及び変更が可能である。例えば、財布１における貨幣収納部１０と蓋部２０を本体としているが、紐状部材３０及び挿通部１２の配置を調整することにより、元来ファスナ、ホック、ガマグチによる開閉構造を伴う財布の係着部材の代替として使用することも可能である。同様に、用途を財布に限定せず、小物や持薬入れ等としても応用が可能である。
【００３３】
以上、本発明の実施形態を説明したが、本発明の範囲は、上述の実施形態等に限定するものではなく、特許請求の範囲に記載された発明の範囲とその均等の範囲を含む。
【符号の説明】
【００３４】
１    財布
１０  貨幣収容部
１１  開口部
１２  挿通部
１３  帯状体
２０  蓋部
３０  紐状部材
４０  環状部材
５０  円盤部材
【図１】
2018075162.tif 000003
【図２】
2018075162.tif 000004
【図３】
2018075162.tif 000005
【図４】
2018075162.tif 000006